(57)【特許請求の範囲】
【請求項１】
（ａ）室内と室外とを連ねる換気路を有する装置本体と、
（ｂ）前記装置本体内に開位置と閉位置との間で移動可能に収容され、前記開位置にあるとき前記換気路を開き、前記閉位置にあるとき前記換気路を閉じる作動板と、
（ｃ）前記装置本体から突出した第１突出位置と、前記第１突出位置よりも前記装置本体の側に押し込まれた第１押込位置との間で直線的に進退可能に設けられた第１押釦と、
（ｄ）前記第１押釦から分離され、かつ前記装置本体から突出した第２突出位置と、前記第２突出位置よりも前記装置本体の側に押し込まれた第２押込位置との間で直線的に進退可能に設けられた第２押釦と、
（ｅ）前記第１、第２押釦及び前記作動板と連繋され、前記第１押釦が前記第１押込位置に押し込まれたときは前記作動板を前記開位置に位置させ、前記第２押釦が前記第２押込位置に押し込まれたときは前記作動板を前記閉位置に位置させる開閉連繋機構と、
（ｆ）前記第１押釦及び前記第２押釦と連繋され、前記第１押釦の押し込み時又は前記第２押釦の押し込み解除時には前記第２押釦を前記第２突出位置に位置させ、前記第２押釦の押し込み時又は前記第１押釦の押し込み解除時には前記第１押釦を前記第１突出位置に位置させる釦連繋機構と、
を備え、前記釦連繋機構が、前記第１押釦と前記第２押釦との間に介在された釦連繋部材を含み、前記釦連繋部材が、第１変位位置と第２変位位置との間を変位可能であり、前記第１押釦が押し込まれたときは、前記釦連繋部材が、前記第１変位位置に向けて変位することによって前記第２押釦を突出させ、かつ前記第２押釦が押し込まれたときは、前記釦連繋部材が前記第２変位位置に向けて変位することによって前記第１押釦を突出させることを特徴とする換気装置。
【請求項２】
前記釦連繋部材が、前記第１、第２押釦の進退される方向と交差するスライド方向に直線的にスライド可能であることを特徴とする請求項１に記載の換気装置。
【請求項３】
前記開閉連繋機構が、前記作動板と前記釦連繋部材とを前記スライド方向に相対変位不能に、かつ前記開閉方向に相対変位可能に連結する連結部材を含むことを特徴とする請求項２に記載の換気装置。
【請求項４】
前記開閉連繋機構が、前記閉位置のときの前記作動板を前記開位置の側から押す付勢部材を含み、前記付勢部材にはカム面と押付面とが前記スライド方向に連続して設けられ、前記釦連繋部材が前記第２変位位置に向けて変位するとき、前記カム面が、前記作動板の一部に当たって前記作動板を前記閉位置に向かうように案内し、前記押付面が、前記閉位置のときの前記作動板に押し付けられることを特徴とする請求項２又は３に記載の換気装置。
【発明の詳細な説明】
【技術分野】
【０００１】
本発明は、建物の壁、扉等に設けられて、室内（屋内）と室外（屋外）の空気を換気する換気装置に関する。
【背景技術】
【０００２】
例えば、特許文献１に記載の換気装置は、細長い装置本体の内部に換気路が形成されている。この換気路に作動板が設けられている。作動板は、上端縁の周りに回転可能かつ長手方向にスライド可能になっている。装置本体の室内側の面には、つまみが設けられている。このつまみを上記室内側の面に沿ってスライドさせると、作動板がつまみと一緒にスライドされるとともに、カム機構によって作動板が回転される。これによって、換気路が開閉される。
【０００３】
特許文献２に記載の換気装置では、作動板が、スライドせずに上端縁の周りに回転可能になっている。この作動板がばねによって閉方向に付勢されている。つまみは上下に搖動するように操作される。このつまみの搖動によって作動板が開閉される。
【先行技術文献】
【特許文献】
【０００４】
【特許文献１】特開２００７−２３２２５３号公報
【特許文献２】特開２０００−１９９３８４号公報
【発明の概要】
【発明が解決しようとする課題】
【０００５】
特許文献１の換気装置においては、換気路を開閉させるには、つまみをつまんでスライドさせる必要があり、障害等がある人にとっては操作しづらい。
特許文献２の換気装置においては、換気路を開閉させるには、つまみの表面部の端の部分を押す必要がある。つまみの表面部の中央部分を押したのでは、つまみをきちんと搖動させることができない。そのため、障害等がある人にとっては操作しづらい。
この発明は、上記事情に鑑み、障害等がある人でも容易に開閉操作できる換気装置を提供することを目的とする。
【課題を解決するための手段】
【０００６】
上記問題点を解決するために、本発明に係る換気装置は、
（ａ）室内と室外とを連ねる換気路を有する装置本体と、
（ｂ）前記装置本体内に開位置と閉位置との間で移動可能に収容され、前記開位置にあるとき前記換気路を開き、前記閉位置にあるとき前記換気路を閉じる作動板と、
（ｃ）前記装置本体から突出した第１突出位置と、前記第１突出位置よりも前記装置本体の側に押し込まれた第１押込位置との間で直線的に進退可能に設けられた第１押釦と、
（ｄ）前記第１押釦から分離され、かつ前記装置本体から突出した第２突出位置と、前記第２突出位置よりも前記装置本体の側に押し込まれた第２押込位置との間で直線的に進退可能に設けられた第２押釦と、
（ｅ）前記第１、第２押釦及び前記作動板と連繋され、前記第１押釦が前記第１押込位置に押し込まれたときは前記作動板を前記開位置に位置させ、前記第２押釦が前記第２押込位置に押し込まれたときは前記作動板を前記閉位置に位置させる開閉連繋機構と、
（ｆ）前記第１押釦及び前記第２押釦と連繋され、前記第１押釦の押し込み時又は前記第２押釦の押し込み解除時には前記第２押釦を前記第２突出位置に位置させ、前記第２押釦の押し込み時又は前記第１押釦の押し込み解除時には前記第１押釦を前記第１突出位置に位置させる釦連繋機構と、
を備えたことを特徴とする。
【０００７】
この換気装置によれば、第１、第２押釦のうち１つを選択して押し込むことによって換気路を開いたり閉じたりすることができる。要するに、第１押釦を押し込むと換気路を開くことができ、第２押釦を押し込むと換気路を閉じることができる。第１、第２押釦をつまんだり縦横にスライドさせたりする操作は不要である。手前側に引く操作も不要である。したがって、身体的に障害があっても換気装置を容易に開閉操作できる。
第１押釦の進退方向と第２押釦の進退方向とは互いに平行であるのが好ましい。
第１押釦と第２押釦とが、装置本体の室内側面に互いに並んで配置されていることが好ましい。
第１、第２押釦の進退方向が、装置本体の室内側面に対して直交する方向であることが好ましい。
【０００８】
前記釦連繋機構が、前記第１押釦と前記第２押釦との間に介在された釦連繋部材を含み、前記釦連繋部材が、第１変位位置と第２変位位置との間を変位可能であり、前記第１押釦が押し込まれたときは、前記釦連繋部材が、前記第１変位位置に向けて変位することによって前記第２押釦を突出させ、前記第２押釦が押し込まれたときは、前記釦連繋部材が前記第２変位位置に向けて変位することによって前記第１押釦を突出させることが好ましい。
これによって、第１押釦の押し込み時には第２押釦を突出させ、第２押釦の押し込み時には第１押釦を突出させることができる。第１押釦と第２押釦の何れが突出し、何れが引っ込んでいるかによって、換気路が開状態であるのか閉状態であるのかを容易に判別できる。
【０００９】
前記釦連繋部材が、前記第１、第２押釦の進退される方向と交差するスライド方向に直線的にスライド可能であることが好ましい。この場合、第１押釦と釦連繋部材との間には、第１押釦の進退方向への直線移動と釦連繋部材のスライド方向への直線移動とを相互に変換するカム機構を設けるとよい。また、第２押釦と釦連繋部材との間には、第２押釦の進退方向への直線移動と釦連繋部材のスライド方向への直線移動とを相互に変換するカム機構を設けるとよい。これによって、第１、第２押釦と釦連繋部材との連繋構造を単純化でき、釦連繋機構を容易に設計、製造できる。また、作動板がスライドしながら開閉する場合、該作動板のスライド動作と釦連繋部材のスライド動作とを連動させることができる。
【００１０】
前記作動板が前記釦連繋部材のスライド方向にスライド可能であり、かつ前記作動板の開位置と閉位置とを結ぶ開閉方向が前記スライド方向と交差していることが好ましい。さらに、前記作動板が、前記釦連繋部材のスライド方向と平行な軸の周りに回転可能であり、前記軸に沿ってスライドしながら回転することで換気路を開閉することが好ましい。
前記開閉連繋機構が、前記作動板と前記釦連繋部材とを前記スライド方向に相対変位不能に、かつ前記開閉方向に相対変位可能に連結する連結部材を含むことが好ましい。これによって、作動板を釦連繋部材と一体にスライドさせながら開閉方向に動かすことができる。
【００１１】
前記開閉連繋機構が、前記閉位置のときの前記作動板を前記開位置の側から押す付勢部材を含むことが好ましい。前記付勢部材にはカム面と押付面とが前記スライド方向に連続して設けられ、前記釦連繋部材が前記第２変位位置に向けて変位するとき、前記カム面が、前記作動板の一部に当たって前記作動板を前記閉位置に向かうように案内し、前記押付面が、前記閉位置のときの前記作動板に押し付けられることが好ましい。
これによって、第１押釦を押し込んで換気路を閉じる際、付勢部材のカム面によって作動板を開位置まで確実に案内できる。更に、作動板が開位置に達したときは、該作動板を付勢部材によって閉方向に付勢して、換気路の閉状態を確実に保持することができる。
【００１２】
前記作動板には、前記開位置よりも前記閉位置に近い閉近傍位置と前記開位置との間に在るときに前記付勢部材から逃げる逃げ部が形成され、前記作動板が前記閉近傍位置と前記閉位置との間に在るときの前記逃げ部の前記変位方向の一端部が、前記カム面と接することが好ましい。
これによって、作動板が開閉する際に付勢部材と干渉するのを回避できる。また、逃げ部の前記一端部を前記カム面に対するカムフォロアとすることができる。
【００１３】
前記釦連繋機構が、前記第１押釦を前記第１突出位置に向けて付勢するバネ等の第１釦付勢手段と、前記第２押釦を前記第２突出位置に向けて付勢するバネ等の第２釦付勢手段とを含んでいてもよい。これによって、前記第１押釦の押し込み解除時には該第１押釦を第１突出位置に戻すことができ、前記第２押釦の押し込み解除時には該第２押釦を第２突出位置に戻すことができる。この場合、さらに、前記開閉連繋機構が、開保持部と、閉保持部とを含むことが好ましい。前記開保持部は、前記第１釦付勢手段が前記第１押釦を前記第１突出位置に向けて戻すときに前記作動板を開位置に保持する。前記閉保持部は、前記第２釦付勢手段が前記第２押釦を前記第２突出位置に向けて戻すときに前記作動板を閉位置に保持する。そして、前記作動板が開位置にある状態で前記第２押釦が押し込まれたときは、前記開保持部による保持が解除され、前記作動板が閉位置にある状態で前記第１押釦が押し込まれたときは、前記閉保持部による保持が解除されることが好ましい。
【発明の効果】
【００１４】
本発明によれば、障害等がある人でも換気装置を容易に開閉操作することができる。
【図面の簡単な説明】
【００１５】
【図１】図１は、本発明の第１実施形態を示し、換気装置の斜視図である。
【図２】図２は、室内側から見た上記換気装置の正面図である。
【図３】図３は、室外側から見た上記換気装置の背面図である。
【図４】図４は、上記換気装置の開状態における図２のＡ−Ａ線に沿う平面断面図である。
【図５】図５は、上記換気装置の閉状態における図２のＡ−Ａ線に沿う平面断面図である。
【図６】図６は、上記換気装置の開状態における図４のＶＩ−ＶＩ線に沿う縦断面図である。
【図７】図７は、上記換気装置の開状態における図４のＶＩＩ−ＶＩＩ線に沿う縦断面図である。
【図８】図８は、上記換気装置の閉状態における図５のＶＩＩＩ−ＶＩＩＩ線に沿う縦断面図である。
【図９】図９は、上記換気装置の開状態における図４のＩＸ−ＩＸ線に沿う正面断面図である。
【図１０】図１０は、上記換気装置の閉状態における図５のＸ−Ｘ線に沿う正面断面図である。
【図１１】図１１（ａ）は、上記換気装置の第１押釦の斜視図である。図１１（ｂ）は、上記第１押釦の平面図である。
【図１２】図１２（ａ）は、上記換気装置の第２押釦の斜視図である。図１２（ｂ）は、上記第２押釦の平面図である。
【図１３】図１３（ａ）は、上記換気装置の釦ホルダの斜視図である。図１３（ｂ）は、上記釦ホルダの正面図である。図１３（ｃ）は、上記釦ホルダの図１３（ｂ）のＸＩＩＩｃ−ＸＩＩＩｃ線に沿う平面断面図である。図１３（ｄ）は、上記釦ホルダの図１３（ｂ）のＸＩＩＩｄ−ＸＩＩＩｄ線に沿う底面断面図である。
【図１４】図１４（ａ）は、上記換気装置の釦連繋部材の斜視図である。図１４（ｂ）は、上記釦連繋部材の正面図である。図１４（ｃ）は、上記釦連繋部材の図１４（ｂ）のＸＩＶｃ−ＸＩＶｃ線に沿う平面断面図である。
【図１５】図１５（ａ）は、上記換気装置の開時における上記第１、第２押釦及び釦連繋部材の位置関係を示す平面図である。図１５（ｂ）は、上記換気装置の閉時における上記第１、第２押釦及び釦連繋部材の位置関係を示す平面図である。
【図１６】図１６は、上記換気装置の作動板と連結手段と板ばねの分解斜視図である。
【図１７】図１７（ａ）は、上記換気装置のガイド部材の斜視図である。図１７（ｂ）は、作動板が閉近傍位置にあるときのガイド部材と作動板の位置関係を示す平面断面図である。図１７（ｃ）は、作動板が閉位置にあるときのガイド部材と作動板の位置関係を示す平面断面図である。
【発明を実施するための形態】
【００１６】
以下、本発明の実施形態を図面にしたがって説明する。
図１〜図３に示すように、この実施形態の換気装置１は、例えば家屋等の建物における窓框２の一部として設置される。図４に示すように、換気装置１は、装置本体１０と、作動板２０と、押釦３０，４０と、開閉連繋機構５と、釦連繋機構６を備えている。装置本体１０は、室内側壁１３と、室外側壁１４と、隔壁１５を含む。これら壁１３，１４，１５は、１又は複数（ここでは３つ）のアルミ型材にて構成され、窓框２の長手方向と同じ方向（左右方向）に延びている。図２及び図６に示すように、室内３に面した室内側壁１３には、室内側換気口１３ａが形成されている。図３及び図６に示すように、室外４に面した室外側壁１４には室外側換気口１４ａが形成されている。図７に示すように、室内側壁１３と室外側壁１４との間に換気路１１が形成されている。換気路１１は、室内側換気口１３ａを介して室内３と連なり、かつ室外側換気口１４ａを介して室外４と連なっている。図４及び図９に示すように、室内側壁１３と室外側壁１４との間に隔壁１５が配置されている。隔壁１５によって換気路１１が２つの路部分（室）に仕切られている。隔壁１５には開閉口１５ａが形成されている。
【００１７】
図７に示すように、換気路１１に作動板２０が収容されている。ここでは、作動板２０は、室外側壁１３と隔壁１５との間の室に配置されている。図１６に示すように、作動板２０は、長方形の板状になっている。作動板２０の長手方向が装置本体１０の長手方向（左右方向）に向けられ、かつ作動板２０の短手方向が上下方向に向けられている。作動板２０の上端部には、軸部２１が設けられている。軸部２１は、作動板２０の長手方向すなわち左右方向に延びている。図８に示すように、この軸部２１が、装置本体１０の軸支持部１６に回転可能かつスライド可能に支持されている。ひいては、作動板２０が、開位置と閉位置との間で軸部２１のまわりに回転（移動）可能かつ左右にスライド可能になっている。作動板２０の開位置と閉位置とを結ぶ開閉方向は、作動板２０のスライド方向と交差している。図７に示すように、開位置にあるときの作動板２０は、隔壁１５から離れて室外側に傾き、開閉口１５ａを開放する。ひいては換気路１１を開く。これによって、換気路１１を介して室内３と室外４が連ねられる。したがって、室内３の空気と室外４の空気を換気することができる。図８に示すように、閉位置にあるときの作動板２０は、隔壁１５に添うように鉛直になり、開閉口１５ａを塞ぐ。ひいては、換気路１１を閉じる。これによって、上記換気が遮断される。
【００１８】
図６及び図８に示すように、作動板２０における隔壁１５を向く面の下側部には、シール部材２５が設けられている。作動板２０が閉位置のとき、シール部材２５が隔壁１５に密着することで、作動板２０と隔壁１５との間が気密にシールされる。また、図１６に示すように、作動板２０の下端部（軸部２１とは反対側の端部）には、逃げ部２２が設けられている。逃げ部２２は、作動板２０の長手方向に延びる切欠き状になっている。
【００１９】
図１に示すように、装置本体１０に第１押釦３０と第２押釦４０が設けられている。これら押釦３０，４０は互いに分離されている。図４及び図５に示すように、各押釦３０，４０は、突出位置と、押込位置との間で直線的に進退可能になっている。これら押釦３０，４０の進退方向は、互いに平行であり、かつ室内側壁１３に対して直交している。突出位置のときの各押釦３０，４０は、装置本体１０から突出している。押込位置のときの各押釦３０，４０は、突出位置よりも装置本体１０の側に引っ込んで位置している。
【００２０】
押釦３０，４０と作動板２０とが開閉連繋機構５を介して連繋されている。開閉連繋機構５は、第１押釦３０が突出位置（第１突出位置）から押込位置（第１押込位置）に押し込まれたときは作動板２０を開位置に位置させ、第２押釦４０が突出位置（第２突出位置）から押込位置（第２押込位置）に押し込まれたときは作動板２０を閉位置に位置させる。
【００２１】
さらに、第１押釦３０と第２押釦４０が釦連繋機構６を介して連繋されている。釦連繋機構６は、第１押釦３０の押し込み時には第２押釦４０を突出位置に位置させ、第２押釦４０の押し込み時には第１押釦３０を突出位置に位置させる。
【００２２】
押釦３０，４０及び連繋機構５，６について更に詳述する。
図４〜図６に示すように、装置本体１０に釦ホルダ５０が設けられている。図１３（ａ）に示すように、釦ホルダ５０は、前板５１と、筒部５２を有している。前板５１は、長方形の板状になっている。図１３（ｂ）に示すように、前板５１に、第１釦収容孔５１ａ及び第２釦収容孔５１ｂが形成されている。各釦収容孔５１ａ，５１ｂは、前板５１を厚み方向に貫通している。２つの釦収容孔５１ａ，５１ｂは、前板５１の長手方向に離れて並べられている。釦収容孔５１ａ，５１ｂどうしの間に釦仕切部５１ｃが設けられている。釦仕切部５１ｃによって釦収容孔５１ａ，５１ｂどうしが隔てられている。図１３（ａ）に示すように、筒部５２は、前板５１と直交する角筒状になっている。図１３（ｃ）及び（ｄ）に示すように、筒部５２の前側の端部が前板５１に一体に連なっている。筒部５２の奥側の端部は開口されている。
【００２３】
図１３（ｃ）に示すように、筒部５２の上側の内面には、第１係止溝５３及び第２係止溝５４が形成されている。これら係止溝５３，５４は、上記釦収容孔５１ａ，５１ｂの並び方向と同じ方向（図１３（ｃ）において左右）に離れて並べられている。同様に、図１３（ｄ）に示すように、筒部５２の下側の内面にも、第１、第２係止溝５３，５４が左右に並んで設けられている。さらに、筒部５２の両サイドの内面にはそれぞれ第１案内凹部５５及び第２案内凹部５６が形成されている。各案内凹部５５，５６は、筒部５２の軸長方向（図１３（ｃ）において上下）に延びている。案内凹部５５，５６の手前側（図１３（ｃ）において下側）の端部は、筒部５２の中間に位置している。案内凹部５５，５６の奥側（図１３（ｃ）において上側）の端部は、筒部５２の奥側の端面に達している。
【００２４】
図２に示すように、前板５１は、室内側壁１３に取り付けられて、室内３に面している。前板５１の長手方向は、換気装置１の長手方向すなわち左右方向に向けられている。図６に示すように、筒部５２は、その軸長方向を前後方向（図６において左右）に向けて、室内側壁１３から隔壁１５に跨るようにして支持されている。
【００２５】
図４に示すように、釦ホルダ５０に押釦３０，４０及び釦連繋部材６０が収容されている。２つの押釦３０，４０は装置本体１の室内側面に互いに左右に離れて並べられている。押釦３０，４０どうしの離間距離は、釦仕切部５１ｃの幅と実質的に等しく、好ましくは３ｍｍ〜５ｍｍ程度であるが、それより大きくてもよく、例えば数十ｍｍ以上でもよい。図１１（ａ）に示すように、第１押釦３０は、概略直方体のブロック状になっている。第１押釦３０の手前側（図１１（ｂ）において下側）の端部が、押部３１を構成している。第１押釦３０における奥側の一角は斜めにカットされており、その斜面が第１摺接面３２を構成している。第１押釦３０の奥側のカットされずに残った部分の端部が、作用部３５を構成している。図６及び図１１に示すように、第１押釦３０の上面及び下面には、それぞれ第１案内溝３３が形成されている。各第１案内溝３３は、第１摺接面３２と平行に、かつ第１押釦３０の縦方向及び横方向とは斜めに延びている。第１案内溝３３の手前側（図１１（ｂ）において下側）の端部は、第１押釦３０の上面又は下面の面内に位置している。第１案内溝３３の奥側（図１１（ｂ）において上側）の端部は、第１押釦３０の側端面に達している。図４及び図１１（ｂ）に示すように、第１押釦３０の上記側端面には、係止凸部３４が形成されている。
【００２６】
図４及び図５に示すように、第１押釦３０は、筒部５２内の左側の部分に収容され、その押部３１が、前板５１の左側の第１釦収容孔５１ａに嵌め込まれている。また、係止凸部３４が、筒部５２の左サイドの第１案内凹部５５に嵌め入れられている。この状態で、第１押釦３０は、突出位置と押込位置との間で前後方向に直線的に進退可能になっている。図５に示すように、第１押釦３０が突出位置のとき、押部３１が室内側壁１３及び前板５１よりも室内３側に突出している。このとき、係止凸部３４が第１案内凹部５５の手前側の端部に突き当たることで、第１押釦３０の手前方向（図５において下）への移動が規制されている。図４に示すように、押込位置の第１押釦３０は、突出位置のときよりも奥側（図４において上）に押し込まれている。この押込位置においても、押部３１が前板５１よりも少しだけ手前に突出している。
【００２７】
図１２（ａ）に示すように、第２押釦４０は、概略直方体のブロック状になっている。第２押釦４０の手前側（図１２（ｂ）において下側）の端部が、押部４１を構成している。第２押釦４０における奥側の一角は斜めにカットされており、その斜面が第２摺接面４２を構成している。図１０及び図１２に示すように、第２押釦４０の上面及び下面には、それぞれ第２案内溝４３が形成されている。各第２案内溝４３は、第２摺接面４２と平行に、かつ第２押釦４０の縦方向及び横方向とは斜めに延びている。第２案内溝４３の手前側（図１２（ｂ）において下側）の端部は、第２押釦４０の上面又は下面の面内に位置している。第２案内溝４３の奥側（図１２（ｂ）において上側）の端部は、第２押釦４０の奥側の第２摺接面４２とは反対側の隅部に達している。図４及び図１２に示すように、第２押釦４０の第２摺接面４２とは反対側の側端面には、係止凸部４４が形成されている。図４に示すように、第２押釦４０の前後方向（図４において上下）の長さは、第１押釦３０の前後方向（図４において上下）の長さよりも短い。
【００２８】
図４及び図５に示すように、第２押釦４０は、筒部５２内の右側の部分に収容され、その押部４１が、前板５１の右側の第２釦収容孔５１ｂに嵌め込まれている。また、係止凸部４４が、筒部５２の右サイドの第２案内凹部５６に嵌め入れられている。この状態で、第２押釦４０は、突出位置と押込位置との間で前後方向（装置本体１０の室内側の面と直交する方向）に直線的に進退可能になっている。図４に示すように、第２押釦４０が突出位置のとき、押部４１が室内側壁１３及び前板５１よりも室内３側に突出している。このとき、係止凸部４４が第２案内凹部５６の手前側の端部に突き当たることで、第２押釦４０の手前方向（図４において下）への移動が規制されている。図５に示すように、押込位置の第２押釦４０は、突出位置のときよりも奥側（図５において上）に押し込まれている。突出位置においても、押部４１は、前板５１よりも少しだけ手前に突出している。
【００２９】
図４及び図５に示すように、第１押釦３０と第２押釦４０とが釦連繋部材６０を介して連繋されている。釦連繋部材６０は、釦連繋機構６の要素を構成している。図１４に示すように、釦連繋部材６０は、スライドカム部６１と、一対のスライド板部６２，６２とを一体に有している。図１４（ｃ）に示すように、スライドカム部６１は、平面視で概略直角二等辺三角形の短柱状になっている。スライドカム部６１の左右一対の斜面のうち、左側の斜面が第１案内面６１ａを構成し、右側の斜面が第２案内面６１ｂを構成している。各案内面６１ａ，６１ｂは、左右方向（作動板２０のスライド方向）及び前後方向（押釦３０，４０の進退方向）に対して４５°の角度で傾斜されている。案内面６１ａ，６１ｂどうしのなす角度は９０°になっている。なお、案内面６１ａ，６１ｂの上記傾斜角度は適宜変更可能である。スライドカム部６１内の中央部には収容凹部６１ｃが形成されている。収容凹部６１ｃは、スライドカム部６１の奥側（図１４（ｃ）において上側）の側面に達している。
【００３０】
図１４（ｂ）に示すように、釦連繋部材６０の一対のスライド板部６２，６２は、上下に対向するようにして平行に配置されている。これらスライド板部６２，６２の間にスライドカム部６１が挟まれている。上側のスライド板部６２がスライドカム部６１の上端部と一体に連なり、下側のスライド板部６２がスライドカム部６１の下端部と一体に連なっている。各スライド板部６２は、長方形の平板状になっており、その長手方向が左右方向に向けられている。スライド板部６２の長手方向の両端部は、それぞれスライドカム部６１よりも延び出ている。各スライド板部６２の内側面（他方のスライド板部６２を向く面）の左端部には第１案内凸部６４が設けられ、かつ上記内側面の右端部には第２案内凸部６５が設けられている。各スライド板部６２の外側面（他方のスライド板部６２とは反対側の面）における奥側部（図１４（ａ）において下側）には、ガイド溝６２ａが形成されている。ガイド溝６２ａは、スライド板部６２の長手方向に延び、その両端部がスライド板部６２の左右の端面に達している。
【００３１】
さらに、各スライド板部６２には係止爪部６３が一体に設けられている。スライド板部６２の外面部の一部が、片持ち板状に切り込まれることによって係止爪部６３となっている。係止爪部６３は、スライド板部６２の長手方向に延び、その基端部が、スライド板部６２の長手方向の一端部と一体に連なっている。係止爪部６３の先端部は、スライド板部６２の長手方向の中央部に位置している。この係止爪部６３の先端部の外面に係止突起６３ａが形成されている。係止突起６３ａは、正面視で半円形になっている。係止爪部６３は、スライド板部６２の厚み方向（上下）に弾性変形可能である。係止爪部６３が自然状態のとき、係止突起６３ａがスライド板部６２の外側面よりも突出している。
【００３２】
図４及び図５に示すように、釦連繋部材６０は、筒部５２の内部に収容されている。このスライドカム部６１における案内面６１ａ，６１ｂどうしが接近している側の端部が手前側（室内側、図４において下）に向けられている。スライドカム部６１は、第１押釦３０と第２押釦４０の間に挟まれている。そして、図１５に示すように、第１案内面６１ａが第１摺接面３２に摺動可能に当たっている。これら面６１ａ，３２によって第１のカム機構６ａが構成されている。第２案内面６１ｂが第２摺接面４２に摺動可能に当たっている。これら面６１ｂ，４２によって第２のカム機構６ｂが構成されている。図６及び図９に示すように、上下一対のスライド板部６２，６２におけるスライドカム部６１よりも左側に延び出た部分が、第１押釦３０を上下から挟んでいる。そして、第１案内凸部６４が第１案内溝３３に嵌め込まれている。第１案内凸部６４及び第１案内溝３３によって第３のカム機構６ｃが構成されている。また、図１０に示すように、上下一対のスライド板部６２，６２におけるスライドカム部６１よりも右側に延び出た部分が、第２押釦４０を上下から挟んでいる。図１５に示すように、第２案内凸部６５が第２案内溝４３に嵌め込まれている。第２案内凸部６５及び第２案内溝４３によって第４のカム機構６ｄが構成されている。
【００３３】
図４及び図５に示すように、釦連繋部材６０は、釦ホルダ５０内において第１変位位置と第２変位位置との間で左右方向にスライド可能（変位方向に変位可能）になっている。図９に示すように、第１変位位置のときの釦連繋部材６０は、該釦連繋部材６０のスライド（変位）可能範囲の右端に在る。このとき、スライド板部６２の右端面が筒部５２の右側の内壁面に突き当たっている。また、係止突起６３ａが、係止溝５３，５４のうち右側の第１係止溝５３に嵌っている。第１係止溝５３及び係止突起６３ａによって第１保持部６ｅが構成されている。第１保持部６ｅは、釦連繋部材６０を第１変位位置に保持可能、かつ第２押釦４０の押込みによってその保持を解除可能になっている。さらに、図１５（ａ）に示すように、第１案内凸部６４が、押込位置における第１押釦３０の第１案内溝３３の手前側（室内側、図１５において下）の端部に位置しており、かつ第２案内凸部６５が、突出位置における第２押釦４０の第２案内溝４３の奥側（室外側、、図１５において上）の端部に位置している。押込位置における第１押釦３０の作用部３４は、釦連繋部材６０よりも奥側（図１５において上）に突出している。
【００３４】
図１０に示すように、第２変位位置のときの釦連繋部材６０は、該釦連繋部材６０のスライド（変位）可能範囲の左端に在る。このとき、スライド板部６２の左端面が筒部５２の左側の内壁面に突き当たっている。また、係止突起６３ａが、係止溝５３，５４のうち左側の第２係止溝５４に嵌っている。第２係止溝５４及び係止突起６３ａによって第２保持部６ｆが構成されている。第２保持部６ｆは、釦連繋部材６０を第２変位位置に保持可能、かつ第１押釦３０の押込みによってその保持を解除可能になっている。さらに、図１５（ｂ）に示すように、第１案内凸部６４が、突出位置における第１押釦３０の第１案内溝３３の奥側の端部に位置しており、かつ第２案内凸部６５が、押込位置における第２押釦４０の第２案内溝４３の手前側の端部に位置している。突出位置における第１押釦３０の作用部３４は、釦連繋部材６０内に引っ込んでいる。
【００３５】
図６に示すように、釦連繋部材６０の奥側（図６において左）の端部は、筒部５２から突出している。この奥側の端部における上下のガイド溝６２ａに隔壁１５の案内縁１５ｂがそれぞれ嵌められている。案内縁１５ｂは、左右方向（図６の紙面直交方向）に真っ直ぐ延びている。これによって、釦連繋部材６０の左右方向へのスライドが許容されるとともに、釦連繋部材６０の左右スライド以外の動きが規制されている。
【００３６】
図４及び図６に示すように、第１押釦３０が押込位置のとき、作用部３５が作動板２０に直接当たって作動板２０を奥側（室外側）に押している。これによって、作動板２０が開位置になっている。作用部３５は、開閉連繋機構５の一要素を構成している。さらに、開閉連繋機構５は、板ばね７０と、連結手段７１と、ガイド部材８０を含む。図４及び図１６に示すように、連結手段７１は、連結部材７３と、ネジ７６を含む。作動板２０を挟んでその手前側（室内側）に連結部材７３が配置され、奥側（室外側）に板ばね７０が配置されている。連結部材７３と作動板２０と板ばね７０とがネジ７６によって一体に連ねられている。
【００３７】
連結部材７３は、有底の角筒状になっており、その内周面に雌ネジが形成されている。この雌ネジにネジ７６がねじ込まれている。図４に示すように、連結部材７３は、釦連繋部材６０の収容凹部６１ｃに収容されている。連結部材７３は、この収容状態において、釦連繋部材６０に対して左右方向に相対変位不能、かつ前後方向に相対変位可能、かつ上下に搖動可能になっている。ひいては、作動板２０が、連結手段７１を介して、釦連繋部材６０に対して左右方向に相対変位不能に、かつ開位置と閉位置とを結ぶ開閉方向に変位可能に連結されている。
【００３８】
板ばね７０は、作動板２０の長手方向にほぼ沿って延びるとともに、先端に向かうにしたがって作動板２０から奥側（室外側）に離れるように斜めになっている。板ばね７０の基端部が、ネジ７６にて作動板２０に止められている。図４及び図７に示すように、作動板２０が開位置のとき、板ばね７０の先端部が室外側壁１４に弾性的に当たっている。したがって、開位置のときの作動板２０は、板ばね７０によって閉位置に向けて付勢されている。図５に示すように、作動板２０が閉位置のとき、板ばね７０は室外側壁１４から離れている。
【００３９】
図７及び図１７（ａ）に示すように、ガイド部材８０は、基部８１と、突出部８２とを含む。基部８１は、左右に延びる板状になっている。図７に示すように、この基部８１が、装置本体１０内における作動板２０よりも下側の部分にほぼ水平な姿勢で設置されている。基部８１から突出部８２が上方（図１７（ｂ）において紙面手前）に突出されている。突出部８２の手前側（室内側、図１７（ｂ）において下側）の部分に付勢部材８３が一体に設けられている。付勢部材８３は、突出部８２の側部から板バネ状に斜めに延び出ており、その先端部は、断面円弧状に曲げられている。付勢部材８３における上記円弧状に曲げられた部分の外周面がカム面８４を構成し、上記板バネ状に斜めに延びる部分の外側面とカム面８４との間の部分が押付面８５を構成している。押付面８５とカム面８４は左右方向（釦連繋部材６０の変位方向）に滑らかに連続している。
【００４０】
図１７（ｂ）に示すように、突出部８２は、作動板２０のちょうど逃げ部２２と対応する位置に配置されている。作動板２０に逃げ部２２を形成することによって、作動板２０の開閉動作時に該作動板２０とガイド部材８０とが干渉するのが回避されている。詳細には、作動板２２が開位置（図７）と閉近傍位置（図１７（ｂ））との間に在るとき、逃げ部２２によって作動板２２が付勢部材８３から逃げている。ここで、閉近傍位置は、作動板２２の開閉移動範囲における開位置よりも閉位置に近い所定の位置を言う。作動板２２が閉近傍位置と閉位置との間に在るときは、カム面８４が逃げ部２２の右端部２２ｅ（作動板の一部）と接する。そして、作動板２０の左右方向へのスライドに伴なって、上記端部２２ｅがカム面８４に沿って摺動される。これによって、図１７（ｂ）及び（ｃ）に示すように、作動板２０が左方向にスライドするとき、カム面８４が作動板２０を閉位置に向かうように案内する。図１７（ｃ）に示すように、作動板２０が閉位置に在るときは、押付面８５が作動板２０の室外側の面に押し付けられる。これによって、付勢部材８３が、閉位置のときの作動板２０を開位置の側から室内側（図１７（ｃ）において下）へ押す。
【００４１】
上記のように構成された換気装置１の開閉動作を説明する。
いま、図５及び図８に示すように、換気装置１が閉じられているものとする。このとき、作動板２０はほぼ鉛直に垂れて閉位置に在る。第１押釦３０は突出位置に在り、第２押釦４０は押込位置に在る。また、図１０に示すように、釦連繋部材６０は、第２変位位置に在り、係止突起６３ａが第２係止溝５４に嵌合している。この嵌合によって、釦連繋部材６０のスライドが阻止され、ひいては作動板２０が閉位置に保持されている。
【００４２】
上記の閉状態から換気装置１を開く際は、第１押釦３０の押部３１を装置本体１０に向けて押し込む。このとき、第１押釦３０の周側部が第１釦収容孔５１ａの内周面に案内される。これによって、第１押釦３０を直線的に押し込むことができる。押部３１の中央部をまっすぐ押せばよく、操作が容易である。第１押釦３０が押し込まれるのに伴い、第１摺接面３２と第１案内面６１ａとのカム作用によって、釦連繋部材６０が右方向へスライドされる。このとき、係止爪部６３が弾性変形して、係止突起６３ａが第２係止溝５４から外れ、釦連繋部材６０のスライドが許容される。同時に、第１案内凸部６４が、相対的に第１案内溝３３の手前側（図１５（ｂ）において下）に斜めに案内される。この第１案内凸部６４と第１案内溝３３の内周面とのカム作用によっても、釦連繋部材６０が右方向にスライド可能である。さらに、第２案内面６１ｂと第２摺接面４２とのカム作用によって、第２押釦４０が押込位置から突出してくる。このとき、第２押釦４０の周側部が第２釦収容孔５１ｂの内周面に案内される。これによって、第２押釦４０を直線的に突出移動させることができる。また、第２案内凸部６５が、相対的に第２案内溝４３の奥側（図１５（ｂ）において上）に斜めに案内される。この第２案内凸部６５と第２案内溝４３の内周面とのカム作用によっても、第２押釦４０が突出可能である。
【００４３】
上記釦連繋部材６０の右方向へのスライドに伴って、作動板２０が釦連繋部材６０と一緒に右方向へスライドされる。やがて、作用部３５が作動板２０に突き当たる。そこから第１押釦３０が更に押し込まれることで、作動板２０が右方向へスライドしながら開位置へ向けて回転される。
【００４４】
図４、図６及び図９に示すように、第１押釦３０を押込位置まで押し込んだとき、釦連繋部材６０が第１変位位置に達して、該釦連繋部材６０の右端面が筒部５２の右側の内壁面に突き当たるとともに、係止突起６３ａが第１係止溝５３に嵌り込む。この第１係止溝５３と係止突起６３ａの係合によって、釦連繋部材６０が第１変位位置に保持される。また、図１５（ａ）に示すように、第１案内凸部６４が第１案内溝３３の手前側の端部に突き当たる。さらに、第２押釦４０が突出位置に達して、係止凸部４４が第２案内凹部５６の手前側の端部に突き当たる。第２案内凸部６５は、第２案内溝４３の奥側の端部に位置する。
【００４５】
図６及び図７に示すように、第１押釦３０が押込位置に達することで、作動板２０が開位置になる。これによって、換気路１１が開通し、室外４の空気と室内３の空気とを換気できる。図４及び図７に示すように、このとき、板ばね７０が室外側壁１４に弾性的に当たることによって、作動板２０を閉方向に付勢する。一方、上述したように、係止突起６３ａが第１係止溝５３に嵌り込んでいるために、釦連繋部材６０が第１変位位置に保持され、ひいては第１押釦３０が押込位置に保持される。したがって、板ばね７０の上記付勢によっても作動板２０を開位置に保持でき、換気装置１を開状態に維持できる。
【００４６】
換気装置１を閉じる際は、第２押釦４０の押部４１を装置本体１０に向けて押し込む。このとき、第２押釦４０の周側部が第２釦収容孔５１ｂの内周面に案内される。これよって、第２押釦４０を直線的に押し込むことができる。押部４１の中央部をまっすぐ押せばよく、操作が容易である。この第２押釦４０の移動に伴い、第２摺接面４２と第２案内面６１ｂとのカム作用によって、釦連繋部材６０が左方向へスライドされる。このとき、係止爪部６３が弾性変形して、係止突起６３ａが第１係止溝５３から外れ、釦連繋部材６０のスライドが許容される。同時に、第２案内凸部６５が、相対的に第２案内溝４３の手前側（図１５（ａ）において下）に斜めに案内される。この第２案内凸部６５と第２案内溝４３の内周面とのカム作用によっても、釦連繋部材６０が左方向にスライド可能である。さらに、第１案内面６１ａと第１摺接面３２とのカム作用によって、第１押釦３０が押込位置から突出位置に移動される。このとき、第１押釦３０の周側部が第１釦収容孔５１ａの内周面に案内される。これによって、第１押釦３０を直線的に突出移動させることができる。また、第１案内凸部６４が、相対的に第１案内溝３３の奥側（図１５（ａ）において上）に斜めに案内される。この第１案内凸部６４と第１案内溝３３の内周面とのカム作用によっても、第１押釦３０が突出可能である。
【００４７】
上記第１押釦３０の突出動作に伴って、作動板２０が板ばね７０の付勢によって閉方向に回転される。また、作動板２０は自重によっても閉方向に回転する。同時に作動板２０は、釦連繋部材６０と一緒に左方向にスライドされる。図１７（ｂ）に示すように、作動板２０が閉位置の近くの閉近傍位置まで来たとき、逃げ部２２の右端部２２ｅがカム面８４に当たる。第２押釦４０の更なる押し込み操作によって、作動板２０が更に左方向へスライドされるとき、端部２２ｅがカム面８４に沿って押付面８５へ向けて摺動する。これによって、作動板２０を閉位置に向けて確実に案内できる。
【００４８】
図１７（ｃ）に示すように、第２押釦４０を完全に押込位置まで押し込んだとき、釦連繋部材６０が第２変位位置に達し、作動板２０が閉位置に達する。このとき、付勢部材８３の押付面８５が作動板２０の室外側の面に乗り上げる。これによって、付勢部材８３が作動板２０を閉方向に押し付ける。したがって、作動板２０を確実に閉位置に維持でき、シール部材２５を隔壁２５に確実に密着させることができる。この結果、換気路１１を確実に閉状態に維持できる。
【００４９】
図５及び図１０に示すように、釦連繋部材６０が第２変位位置に達したとき、該釦連繋部材６０の左端面が筒部５２の左側の内壁面に突き当たるとともに、係止突起６３ａが第２係止溝５４に嵌り込む。この第２係止溝５４と係止突起６３ａの係合によって、釦連繋部材６０が第２変位位置に保持される。また、図１５（ｂ）に示すように、第２案内凸部６５が第２案内溝４３の手前側の端部に突き当たる。さらに、第１押釦３０が突出位置に達する。そして、係止凸部３４が第１案内凹部５５の手前側の端部に突き当たる。第１案内凸部６４は、第１案内溝３３の奥側の端部に位置する。
【００５０】
換気装置１によれば、押釦３０，４０の１つを真っ直ぐに押し込むことによって、換気路１１を開いたり閉じたりすることができる。押釦３０，４０をつまんだり左右又は上下にスライドさせたりする操作は不要である。手前側に引く操作も不要である。したがって、身体的に障害があっても換気装置１を容易に開閉操作できる。
押釦３０，４０は、換気装置本体１０の室内側の面に対し直交する向きに真っ直ぐに押し込めばよいから、操作が一層容易である。
２つの押釦３０，４０を少し離すことで、２つの押釦３０，４０を同時に押してしまうのを避けることができる。
また、第１押釦３０と第２押釦４０のうち何れか突出しているかによって、換気装置１が開状態であるか閉状態であるかを簡単に判別できる。そして、押釦３０，４０のうち突出しているものを押し込むことで、換気装置１が開状態であるときは閉状態にでき、換気装置１が閉状態であるときは開状態にできる。
案内溝３３，４３が斜めになっているために、押釦３０，４０が装置本体１０から抜け落ちるのを防止できる。
【００５１】
本発明は、上記実施形態に限定されるものではなく、その趣旨に反しない限りにおいて種々の改変をなすことができる。
釦連繋機構６が、第１押釦３０への押し込み力を解除した時（閉から開への操作終了時）には第１押釦３０を突出位置に戻し、第２押釦４０への押し込み力を解除した時（開から閉への操作終了時）には第２押釦４０を突出位置に戻すバネ等の釦付勢手段を有していてもよい。また、開閉連繋機構５が、作動板２０を開位置に保持する開保持部と、作動板２０を閉位置に保持する閉保持部とを含んでいてもよい。そして、第１押釦３０が押し込まれて作動板２０が開位置に位置したときは、その後第１押釦３０が突出位置へ戻る動作とは切り離して、上記開保持部が作動板２０を開位置に保持する一方、第２押釦４０が押し込まれたときは、上記開保持部による保持が解除されるようにしてもよい。また、第２押釦３０が押し込まれて作動板２０が閉位置に位置したときは、その後第２押釦３０が突出位置へ戻る動作とは切り離して、上記閉保持部が作動板２０を閉位置に保持する一方、第１押釦３０が押し込まれたときは、上記閉保持部による保持が解除されるようにしてもよい。
【００５２】
装置本体１における第１押釦３０と第２押釦４０の並びが左右逆になっていてもよい。押釦３０，４０が、釦連繋部材６０のスライド方向と交差する方向に互いに離れて配置されていてもよい。押部３１に開状態を示す表示を付し、押部４１に閉状態を示す表示を付してもよい。
開閉連繋機構５が、押釦３０，４０の進退動作を作動板２０の開閉動作に変換するカム機構を有していてもよい。
釦連繋機構６のカム機構６ａは、斜面６１ａ，３２どうしによって構成されるのに代えて、斜面と、該斜面に沿って摺動可能な摺動体との組み合わせであってもよい。上記摺動体は、ピンであってもよく回転体であってもよい。更には上記斜面をカム曲面に代えてもよい。カム機構６ｂについても同様である。
釦連繋部材６０の変位態様は、直線的なスライドに限られず、回転、揺動等であってもよい。
作動板２０と釦連繋部材６０とを連結するのに代えて、付勢部材８０が左右にスライド可能になり、かつ該付勢部材８０と釦連繋部材６０とが相対変位不能に連結されていてもよい。
作動板２０の開閉方向が釦連繋部材６０のスライド方向と平行であってもよい。作動板２０がスライドするだけで、換気路１１が開閉されるようになっていてもよい。
【産業上の利用可能性】
【００５３】
本発明は、家屋等の建物の建具や壁に設けられる換気装置として適用可能である。
【符号の説明】
【００５４】
１      換気装置
５      開閉連繋機構
６      釦連繋機構
１０    装置本体
１１    換気路
２０    作動板
２２ｅ  逃げ部端部（作動板の一部）
３０    第１押釦
４０    第２押釦
６０    釦連繋部材
７１    連結手段
７３    連結部材
８３    付勢部材
８４    カム面
８５    押付面
【要約】
【課題】障害等がある人でも容易に開閉操作できる換気装置を提供する。
【解決手段】換気装置１の内部に換気路１１を開閉する作動板２０を設ける。換気装置１の外面には第１押釦３０と第２押釦４０を互いに分離して設ける。第１押釦３０を押すと、開閉連繋機構５によって作動板２０が開位置になり、かつ釦連繋機構６によって第２押釦４０が突出する。第２押釦４０を押すと、開閉連繋機構５によって作動板２０が閉位置になり、かつ釦連繋機構６によって第１押釦３０が突出する。
【選択図】図４【図１】
0005507716.tif 000002
【図２】
0005507716.tif 000003
【図３】
0005507716.tif 000004
【図４】
0005507716.tif 000005
【図５】
0005507716.tif 000006
【図６】
0005507716.tif 000007
【図７】
0005507716.tif 000008
【図８】
0005507716.tif 000009
【図９】
0005507716.tif 000010
【図１０】
0005507716.tif 000011
【図１１】
0005507716.tif 000012
【図１２】
0005507716.tif 000013
【図１３】
0005507716.tif 000014
【図１４】
0005507716.tif 000015
【図１５】
0005507716.tif 000016
【図１６】
0005507716.tif 000017
【図１７】
0005507716.tif 000018